(57)【要約】【課題】格子を円滑に摺動できるようにすることを目的とする。【解決手段】水平状に配置したガイドレールと、ガイドレールに直交状に配置し条体で連結した複数本の格子と、格子に固着し前記ガイドレールを摺動するスライダーとよりなる面格子であって、前記スライダーに戸車を設け戸車がガイドレールを摺動するようにした戸車付面格子とした。【選択図】  図４
2005023643.tif 000002
【特許請求の範囲】
【請求項１】
水平状に配置したガイドレールと、ガイドレールに直交状に配置し条体で連結した複数本の格子と、格子に固着し前記ガイドレールを摺動するスライダーとよりなる面格子であって、前記スライダーに戸車を設け戸車がガイドレールを摺動するようにした戸車付面格子。
【請求項２】
ガイドレールを上下に２分割した請求項１記載の戸車付面格子。
【請求項３】
ブラシをガイドレールに当接させてスライダーに固着させた請求項１記載の戸車付面格子。
【請求項４】
複数本の格子は一列に平行状に並び、格子の対向面にクッションゴムを設けた請求項１記載の戸車付面格子。
【発明の詳細な説明】
【０００１】
【発明の属する技術分野】
本発明は、窓や建物の開口部を開閉する、窓格子、出入口扉、間仕切り、防犯扉、倉庫扉、フェンス、落下防止柵の戸車付面格子に関するものである。
【０００２】
【従来の技術】
水平状に配置したガイドレールと、ガイドレールに直交状に配置し条体で連結した複数本の格子と、格子に固着し前記ガイドレールを摺動するスライダーとよりなる従来の面格子は、スライダーが単にガイドレールを摺動するものであって、円滑に格子を摺動できなかった。
【０００３】
【発明が解決しようとする課題】
そこで、本発明は、上記の事情に鑑み、格子を円滑に摺動できるようにすべく、水平状に配置したガイドレールと、ガイドレールに直交状に配置し条体で連結した複数本の格子と、格子に固着し前記ガイドレールを摺動するスライダーとよりなる面格子であって、前記スライダーに戸車を設け戸車がガイドレールを摺動するようにした戸車付面格子とした。
【０００４】
また、本発明は、組立てやメンテナンスを容易にし、複雑な断面形状でも製作できるようにすべく、ガイドレールを上下に２分割した。
【０００５】
さらに、本発明は、風等による振動音を軽減させるべく、ブラシをガイドレールに当接させてスライダーに固着させた。
【０００６】
さらにまた、本発明は、格子の開閉時の衝突音を軽減させるべく、複数本の格子は一列に平行状に並び、格子の対向面にクッションゴムを設けた。
【０００７】
【発明の実施の態様】
本発明を添付する図面に示す具体的な実施例に基づいて、以下詳細に説明する。
【０００８】
図１は、ベランダの窓を開閉する戸車付面格子の全体の概要を示す正面図、図２は図１の平面図である。
【０００９】
ベランダの窓には四角枠状にアルミサッシ９が固着され、このアルミサッシ９にブラケット８を介してガイドレール２が上下に平行状に配置されており、ガイドレール２に直交状に配置した複数本の格子１は、一列に平行状に並んでいる。
【００１０】
図３は、図１・図２を詳細に示す要部の縦断面図で、窓のアルミサッシ９にはブラケット８を介してガイドレール２がボルト１２により固着されている。
【００１１】
格子１にはスライダー４がビス１１により固着され、スライダー４は前記ガイドレール２に摺動自在に設けられている。
【００１２】
この図３の斜視図を図４に示す。窓のアルミサッシ９に固着されたガイドレール２には、一列に平行状に並んだ格子１にビス１１により固着したスライダー４を摺動自在に設ける。
【００１３】
本発明では、スライダー４に戸車５を回転自在に設け、戸車５がガイドレール２を摺動するように設けた。
【００１４】
戸車５の設け方は、図３・図４に示すように、上下の戸車５を共に下方の支持面で支持させるものばかりでなく、図５、図６に示すように、上の戸車５は下方の支持面で支持させ、下の戸車５は上方の支持面に当接させて緊張させガタ付の無いようにして格子１を支持させることができる。
【００１５】
戸車５はスライダー４に１個だけでなく、図７・図８に示すように、２個設けることもでき、あるいは３個以上の複数個設けることができる。
【００１６】
ガイドレール２は、組立てやメンテナンスを容易にし、複雑な断面形状でも製作できるようにすべく、図９に示すように、上下に２分割にした。
【００１７】
窓のアルミサッシ９のブラケット８に固着されるガイドレール２は、アルミ合金製の押出形材よりなり、上形材１３と下形材１４とに上下に２分割されている。
【００１８】
格子１にビス１１により固着されるスライダー４もアルミ合金製の押出形材で、前記ガイドレール２内を摺動できるように、戸車５は垂下片１５に設けた水平状の回転軸のまわりに回転自在に設け、下方の支持面１７に当接させている。
戸車は高分子材のものも含まれる。
【００１９】
格子１に固着されたスライダー４は、図３・図４、図５・図６に示すように、チェーン７により連結されている。チェーンに限定されるものでなく、紐、ワイヤー、ロープ、テープ状のもの、その他の条体のものであればよい。
【００２０】
本発明は、風等により振動音を軽減させるべく、図３・図４、図５・図６に示すように、樹脂製のブラシ６の先端をガイドレール２の外面に当接させて、ブラシ６の基端をスライダー４に固着させる。
【００２１】
また、本発明は、格子１の開閉時の衝突音を軽減させるべく、図１・図２、図３・図４、図５・図６に示すように、一列に平行状に並んだ複数本の格子１の対向面にそれぞれクッションゴム３を設ける。
【００２２】
図１１・図１２に示す戸車付面格子は、格子１の開き始めの部分は、格子１が互いに当接しないように、ディスタンス板１８を設けた例である。
【００２３】
【発明の効果】
本発明は、上述のように、水平状に配置したガイドレールと、ガイドレールに直交状に配置し条体で連結した複数本の格子と、格子に固着し前記ガイドレールを摺動するスライダーとよりなる面格子であって、前記スライダーに戸車を設け戸車がガイドレールを摺動するようにした戸車付面格子であるので、格子を円滑に摺動できる。
【００２４】
また、本発明は、ガイドレールを上下に２分割したので、組立てやメンテナンスが容易で、複雑な断面形状でも製作できる。
【００２５】
さらに、本発明は、ブラシをガイドレールに当接させてスライダーに固着させたので、風等による振動音を軽減させる。
【００２６】
さらにまた、本発明は、複数本の格子は一列に平行状に並び、格子の対向面にクッションゴムを設けたので、格子の開閉時の衝突音を軽減させる。
【図面の簡単な説明】
【図１】本発明の具体的一実施例の戸車付面格子の全体を概要を示す正面図である。
【図２】図１の平面図である。
【図３】図１・図２を詳細に示す要部の縦断面図である。
【図４】図３の斜視図である。
【図５】本発明の他の実施例の戸車付面格子の要部の縦断面図である。
【図６】図５の斜視図である。
【図７】本発明のスライダーに２個の戸車（２個とも下向き）を設けた例の要部の斜視図である。
【図８】本発明のスライダーに２個の戸車（１個は上向き、他の１個は下向き）を設けた例の斜視図である。
【図９】本発明のガイドレールを上下に２分割した状態を説明する縦断面図である。
【図１０】本発明の他の実施例の戸車付面格子の全体の概要を示す正面図である。
【図１１】図１０の平面図である。
【符号の説明】
２…ガイドレール
７…チェーン（条体の例）
１…格子
４…スライダー
５…戸車
６…ブラシ
３…クッションゴム
【図１】
2005023643.tif 000003
【図２】
2005023643.tif 000004
【図３】
2005023643.tif 000005
【図４】
2005023643.tif 000006
【図５】
2005023643.tif 000007
【図６】
2005023643.tif 000008
【図７】
2005023643.tif 000009
【図８】
2005023643.tif 000010
【図９】
2005023643.tif 000011
【図１０】
2005023643.tif 000012
【図１１】
2005023643.tif 000013